(57)【要約】【課題】  携帯機器の種々の可能な使用方法について表示画面の視認性を最適化することにより、より使いやすく、またより高い安全性を備えた携帯機器を提供すること。【解決手段】  携帯電話１は表示画面３及び半導体チップ５を有する。この半導体チップ５は制御手段７、受信装置９、メモリー１１が含まれる。受信装置９は第１、第２及び第３のセンサ１５、１７、及び１９からのそれぞれ第１、第２及び／又は第３の信号を受信する。コントラスト及び／又は色の現在のモードを変更すべき旨を示す信号を制御手段７が受信装置９から受信すると、制御手段７はコントラスト及び／又は色の関連する所定のモードをメモリー１１から選択し、利用可能な供給電圧量の制限下で、表示画面３の視認性の最適化を行う。
2005526471.tif 000002
【特許請求の範囲】
【請求項１】
携帯電話に適した表示画面と組み合わせられ、前記表示画面の前面表示と背景とのコントラスト及び／又は色を調整する半導体チップであって、
前記表示画面上に表示中のコントラスト及び／又は色のモードであるコントラスト及び／又は色の現在のモードを調整すべき旨を示す第１、第２及び／又は第３の信号の内、１又はそれ以上の信号を受信する受信装置と、
前記受信装置に接続され、前記コントラスト及び／又は色の現在のモードを調整する制御手段とを有する半導体チップ。
【請求項２】
請求項１記載の半導体チップにおいて、前記制御手段に接続され、前記第１及び／又は第２及び／又は第３の信号に応じて選択されるコントラスト及び／又は色のモードを格納するメモリーを更に有する半導体チップ。
【請求項３】
請求項２記載の半導体チップにおいて、コントラスト及び／又は色の複数の所定のモードを有する半導体チップ。
【請求項４】
請求項３記載の半導体チップにおいて、前記制御手段及び前記メモリーに接続され、ユーザが選択したコントラスト及び／又は色の所定のモードを記録する記録手段を更に有する半導体チップ。
【請求項５】
請求項４記載の半導体チップにおいて、ユーザによって選択された関連する第１及び／又は第２及び／又は第３の信号に応じてコントラスト及び／又は色のそれぞれの所定のモードが選択される旨を、前記記録手段が更に記録する半導体チップ。
【請求項６】
先行する請求項（請求項１乃至５）の何れか一に記載の前記半導体チップと組み合わされた表示画面を有する携帯電話。
【請求項７】
請求項６記載の携帯電話において、
前記半導体チップに接続され、前記携帯電話と端末装置とが接続されていることを検出すると共に、第１の信号を発生する第１のセンサを更に有し、
前記制御手段は、前記端末装置が検出された場合には、前記コントラスト及び／又は色の現在のモードをコントラスト及び／又は色のこれに関連する所定のモードに調整し、前記表示画面の視認性の最適化を行う携帯電話。
【請求項８】
請求項６又は７記載の携帯電話において、
前記半導体チップに接続され、前記携帯電話への供給電圧を決定すると共に、利用可能な供給電圧の量を示す第２の信号を発生する第２のセンサを更に有し、
前記制御手段は、前記供給電圧が所定のレベルより低いか否かを決定し、これにより前記コントラスト及び／又は色の現在のモードをコントラスト及び／又は色の関連する所定のモードに調整し、前記表示画面の視認性の最適化を行う携帯電話。
【請求項９】
請求項８記載の携帯電話において、前記第２のセンサが前記供給電圧が所定の最大供給電圧であると決定した場合には、前記制御手段は前記コントラスト及び／又は色の現在のモードをコントラスト及び／又は色の最適なモードに調整し、表示画面の視認性の最適化を行う携帯電話。
【請求項１０】
請求項６乃至９の何れか一に記載の携帯電話において、
前記半導体チップに接続され、周囲光を検出すると共に、第３の信号を発生する第３のセンサを更に有し、
前記制御手段は、前記周囲光が所定のレベルを下回ったか否かを決定し、これにより前記コントラスト及び／又は色の現在のモードをコントラスト及び／又は色の関連する所定のモードに調整し、前記表示画面の視認性の最適化を行う携帯電話。
【請求項１１】
請求項６乃至１０の何れか一に記載の携帯電話において、ユーザによる前記第１及び／又は第２及び／又は第３の信号の入力を可能にする手段を更に有する携帯電話。
【請求項１２】
図２乃至図９の何れか一に関連して明細書中に記載した半導体チップ。
【請求項１３】
図１乃至図９の何れか一に関連して明細書中に記載した携帯電話。
【発明の詳細な説明】
【技術分野】
【０００１】
本発明は半導体チップ及びその半導体チップを有する携帯電話に関し、特に、携帯電話に適した表示画面の視認性の最適化に関するものである。
【背景技術】
【０００２】
近年、携帯電話は、画面の小型化及び電池の最大効率化という要求によって、種々の制約を受けている。ユーザが携帯電話の位置を調整できる場合には、表示画面の視認性を最適化することができる。しかし、携帯電話は、そのような手持ち使いにおける位置の調整が適切でない場合においてもしばしば使用される。例えば、ユーザが運転中の場合、そのユーザはハンズフリーキットを使用するかも知れず、その場合には視認性を最適化するために携帯電話の位置を調整することはできない。また、安全上の理由から、そのユーザは必要とする全ての重要な情報を理解するために必要な時間、携帯電話を注視することもできない。このため、ハンズフリーキットを使用する際には表示画面の動作モードを切り替えて表示画面の視認性を最適化する必要がある。携帯電話の異なる可能な使用方法について表示画面の視認性を最適化することにより、携帯電話をより使いやすく、またより高い安全性を備えたものとすることができる。
【０００３】
表示画面の視認性を最適化する方法は種々議論されてきており、例えば、特許文献１等においても議論されている。この米国特許においては、画面に表示される文字を自動的により大きく太いフォントサイズに変えることによって、自動車内及び／又はハンズフリーキットに接続されているような、外光が少ないと思われる状態においてこれを補償する携帯電話が開示されている。この携帯電話には、外部電源及び／又はハンズフリーキットが接続されているか否かを検出するセンサが備えられている。外部電源及び／又はハンズフリーキットが検出された場合には、文字がより大きくて太いフォントへと調整される。この場合の欠点は、表示画面のサイズと、ある時にその表示画面に表示しなければならない情報量とによって、フォントサイズが制約を受けるということである。従って、フォントサイズを、ある特定の大きさを超えて大きくすることはできず、従って、最適な視認性を得ることができない。
【０００４】
特許文献２には、表示画面の輝度を外光の変化に応じて自動制御することにより、表示画面の視認性を最適化する表示装置が開示されている。この場合の欠点は、バックライトが急速に電源を消費し、この表示装置を用いる携帯電話の充電までの「寿命」が短くなるので、ユーザは頻繁に充電を行わなければならず、煩雑なことである。
【０００５】
また、特許文献３には、例えばハンズフリーキット等の種々のオプションを接続することができ、それらを認識することができるコンピュータが開示されている。しかし、装置がコンピュータに接続されても、このコンピュータは表示画面を調整して視認性を最適化することは行わない。
【０００６】
【特許文献１】米国特許第６２３３４６７号
【特許文献２】米国特許第５４０６３０５号
【特許文献３】米国特許第５９６４８４７号
【発明の開示】
【発明が解決しようとする課題】
【０００７】
そこで、本発明は上記の問題に対応しようとするものである。即ち、本発明は、携帯電話等の携帯機器の種々の可能な使用方法について表示画面の視認性を最適化することにより、より使いやすく、またより高い安全性を備えた携帯機器を提供しようとするものである。
【課題を解決するための手段】
【０００８】
本発明は携帯電話に適した表示画面と組み合わせられる半導体チップに関するものである。この半導体チップは表示画面の前面表示と背景とのコントラスト、及び／又は前面表示と背景の色を調整するために用いられる。この半導体チップは、上記表示画面上に表示中のコントラスト及び／又は色のモードであるコントラスト及び／又は色の現在のモードを調整すべき旨を示す第１、第２及び／又は第３の信号の内、１又はそれ以上の信号を受信する受信装置と、当該受信装置に接続され、上記コントラスト及び／又は色の現在のモードを調整する制御手段とを有する。
【０００９】
また、本発明の半導体チップは、上記の半導体チップにおいて、上記制御手段に接続され、上記第１及び／又は第２及び／又は第３の信号に応じて選択されるコントラスト及び／又は色のモードを格納するメモリーを更に有することが望ましい。
【００１０】
この場合において、半導体チップはコントラスト及び／又は色の複数の所定のモードを有することが更に望ましい。
【００１１】
更に、この場合において、上記制御手段及び上記メモリーに接続され、ユーザが選択したコントラスト及び／又は色の所定のモードを記録する記録手段を更に有することが望ましい。
【００１２】
この場合において、ユーザによって選択された関連する第１及び／又は第２及び／又は第３の信号に応じてコントラスト及び／又は色のそれぞれの所定のモードが選択される旨を、上記記録手段が更に記録することが望ましい。
【００１３】
また、本発明は、上記半導体チップと組み合わされた表示画面を有する携帯電話に関するものである。
【００１４】
上記の携帯電話において、上記半導体チップに接続され、上記携帯電話と端末装置とが接続されていることを検出すると共に、第１の信号を発生する第１のセンサを更に有し、上記制御手段は、上記端末装置が検出された場合には、上記コントラスト及び／又は色の現在のモードをコントラスト及び／又は色の関連する所定のモードに調整し、上記表示画面の視認性の最適化を行うことが望ましい。
【００１５】
上記の携帯電話において、上記半導体チップに接続され、上記携帯電話への供給電圧を決定すると共に、利用可能な供給電圧の量を示す第２の信号を発生する第２のセンサを更に有し、上記制御手段は、上記供給電圧が所定のレベルより低いか否かを決定し、これにより上記コントラスト及び／又は色の現在のモードをコントラスト及び／又は色の関連する所定のモードに調整し、上記表示画面の視認性の最適化を行うことが更に望ましい。
【００１６】
この場合において、上記第２のセンサが上記供給電圧が所定の最大供給電圧であると決定した場合には、上記制御手段は上記コントラスト及び／又は色の現在のモードをコントラスト及び／又は色の最適なモードに調整し、表示画面の視認性の最適化を行うことが望ましい。
【００１７】
上記の場合において、上記半導体チップに接続され、周囲光を検出すると共に、第３の信号を発生する第３のセンサを更に有し、上記制御手段は、上記周囲光が所定のレベルを下回ったか否かを決定し、これにより上記コントラスト及び／又は色の現在のモードをコントラスト及び／又は色の関連する所定のモードに調整し、上記表示画面の視認性の最適化を行うことが望ましい。
【００１８】
上記の場合において、ユーザによる上記第１及び／又は第２及び／又は第３の信号の入力を可能にする手段を更に有することが望ましい。
【００１９】
本発明の半導体チップは、また、図２乃至図９の何れか一に関連して以下に記載した半導体チップであってもよい。
【００２０】
また、本発明の携帯電話は、図１乃至図９の何れか一に関連して以下に記載した携帯電話であってもよい。
【発明を実施するための最良の形態】
【００２１】
以下に本発明の実施形態を、単なる例として、また、添付の図面を参照して説明する。
【００２２】
図１は表示画面３及び入力手段２１を有する一般的な携帯電話１を示している。
【００２３】
図２は本発明の半導体チップ５に接続された表示画面３を有する携帯電話１のブロック図を示している。この半導体チップ５は、制御手段７、受信装置９、メモリー１１、及び記録手段１３を有している。
【００２４】
受信装置９は制御手段７に接続されており、第１、第２、及び第３のセンサ１５、１７、及び１９からそれぞれ第１、第２、及び第３の信号を受信する。制御手段７は、表示画面３の前面表示と背景とのコントラスト、及び／又は前面表示と背景の色の現在のモードを変更すべきか否かを、受信装置９からの信号を受信した際に決定する。又は、センサ１５、１７、及び１９のそれぞれが、表示画面３の前面表示と背景とのコントラスト、及び／又は前面表示と背景の色の現在のモードを変更すべき旨を示す信号を発生するようにしてもよい。コントラスト及び／又は色の現在のモードとは、表示画面３に現在表示されているコントラスト及び／又は色のモードである。制御手段７は、信号を受信すると、コントラスト及び／又は色の現在のモードを、メモリー１１に格納されているコントラスト及び／又は色の所定のモードに変更する。それぞれの信号はコントラスト及び／又は色の所定のモードと関連している。
【００２５】
コントラスト及び／又は色の異なる所定のモードの範囲は信号と関連付けられており、半導体チップ５のメモリー１１に格納されている。コントラスト及び／又は色の所定のモードは、それぞれ関連した信号を受信した際に選択されて使用される。例えば、受信装置９の受信した信号が端末装置が検出されたことを示している場合には、コントラスト及び／又は色の現在のモードは変更され、携帯電話１と端末装置とが接続されている場合に表示画面３の視認性が向上するような、コントラスト及び／又は色の関連した所定のモードとなる。
【００２６】
第１のセンサ１５は携帯電話１と端末装置とが接続されている場合に第１の信号を発生する。第１のセンサ１５を用いた場合に行われる、表示画面３を調整する工程を図３に示す。
【００２７】
端末装置の一例はハンズフリーキットであり、他の例は外部電源装置である。受信装置９が端末装置が検出された旨の上記の信号を受信すると、受信装置はその旨を制御手段７に伝える。すると制御手段７はコントラスト及び／又は色の関連する所定のモードをメモリー１１から選択し、コントラスト及び／又は色の現在のモードをコントラスト及び／又は色のその所定のモードに調整する。
【００２８】
第２のセンサ１７は携帯電話１の電池において利用可能な供給電圧の量を示す第２の信号を発生する。第２のセンサ１７を用いた場合に行われる、表示画面３を調整する工程を図４に示す。
【００２９】
携帯電話はバッテリーの充電までの間には限られた量の供給電圧しか利用することができない。コントラスト及び／又は色の所定のモードでは、それぞれ異なる比率で供給電圧を消費するので、コントラスト及び／又は色のモードの中には他のモードより多くの供給電圧の量を必要とするものもある。従って、コントラスト及び／又は色の現在のモードにおいても、コントラスト及び／又は色の選択された関連した所定のモードにおいても、供給電圧を必要以上に早く消費しないようにすることが必要である。
【００３０】
携帯電話のバッテリーにおける利用可能な供給電圧の量を示す第２の信号を受信装置９から受信すると、制御手段７はコントラスト及び／又は色の現在のモードを調整して、バッテリーの利用効率を向上し且つ表示画面３の視認性を最適化できる、コントラスト及び／又は色の関連した所定のモードに設定する。供給電圧の所定のレベルはメモリー１１に格納されており、コントラスト及び／又は色の所定のモードと関連付けられている。従って、供給電圧の異なるレベル毎にコントラスト及び／又は色の異なった所定のモードが選択され、残りの供給電圧の寿命を延長すると同時に表示画面３の視認性を最適化することができる。これにより、バッテリーから利用可能な供給電圧が必要以上に早く消費されてしまうことを防止することができる。
【００３１】
制御手段７によって選択されるコントラスト及び／又は色の所定のモードは、供給電圧の残量を考慮した使用時間の最適化と種々の使用環境におけるユーザの視認性の最適化との妥協点である。即ち、僅かな供給電圧しか利用可能でない場合には、消費量の非常に多いコントラスト及び／又は色のモードは選択されず、これにより、携帯電話１のバッテリー寿命を最適化することができる。
【００３２】
携帯電話１は上述の第１のセンサ１５、又は上述の第２のセンサ１７、又は第１のセンサ１５及び第２のセンサ１７の両方を有していてもよい。第１のセンサ１５及び第２のセンサ１７を用いた場合に行われる、表示画面３を調整する工程を図５に示す。
【００３３】
第１のセンサ１５及び第２のセンサ１７の両方が携帯電話１に接続されている場合には、コントラスト及び／又は色の関連した所定のモードを選択する上では、第２のセンサ１７によって検出される供給電圧の利用可能量が支配的な信号となる。
【００３４】
第１のセンサ１５によって検出される端末装置が、例えばハンズフリーキットであれば、制御手段７が受信装置９から受信する支配的な信号は供給電圧の利用可能量である。コントラスト及び／又は色のある所定のモードでは他のモードよりも早く供給電圧を消費するので、制御手段７は、先ず供給電圧残量の持続時間を最適化でき、次に表示画面３の視認性を最適化できる、コントラスト及び／又は色の関連した所定のモードを選択し、使用する。供給電圧の残量を考慮した使用時間の最適化とユーザの視認性の最適化との妥協が図られている。
【００３５】
第１のセンサ１５によって検出される端末装置が、例えば外部電源装置であれば、利用可能な供給電圧は最大の供給電圧となる。この場合においても、制御手段７が受信装置９から受信する支配的な信号は供給電圧の利用可能量である。しかし、供給電圧の利用可能量は最大供給電圧であるので、コントラスト及び／又は色のある関連する所定のモードにおいて供給電圧が消費される速度を考慮する必要は無く、上記の二つの要因の妥協を図る必要も無い。従って、制御手段７は、必要とされる供給電圧の量を考慮することなく、ユーザの視認性を最適化できるコントラスト及び／又は色の関連した所定のモードを選択する。
【００３６】
第３のセンサ１９は携帯電話１の周囲光の量を示す第３の信号を発生する。第３のセンサ１９を用いた場合における表示画面３の調整工程を図６に示す。
【００３７】
周囲光の量を示す第３の信号を受信装置９から受信すると、制御手段７はコントラスト及び／又は色の現在のモードをコントラスト及び／又は色の関連した所定のモードに調整する。周囲光の所定のレベルはコントラスト及び／又は色の関連した所定のモードと共にメモリー１１に格納されている。これにより、周囲光のそれぞれのレベル毎にコントラスト及び／又は色の異なる所定のモードが選択され、表示画面３のユーザに対する視認性が最適化される。
【００３８】
携帯電話１は上述の第１のセンサ１５、又は上述の第２のセンサ１７、又は第１のセンサ及び第２のセンサ１７の両方と組み合わせて第３のセンサ１９を有していてもよい。
【００３９】
第１のセンサ１５及び第３のセンサ１９を用いた場合における表示画面３の調整工程を図７に示す。
【００４０】
第１のセンサ１５及び第３のセンサ１９の両方が携帯電話１に接続されている場合には、コントラスト及び／又は色の関連する所定のモードを選択する上では第１及び第３の信号の優位性は等しい。従って、コントラスト及び／又は色のその関連する所定のモードを製造者又はユーザが設定してもよい。端末装置の検出に関連する所定のコントラスト及び／又は色のモードと、検出された周囲光のレベルに関連する所定のコントラスト及び／又は色のモードとの間の調整は、表示画面３の視認性がユーザにとって最適となるように行われる。
【００４１】
第２のセンサ１７及び第３のセンサ１９を用いた場合における表示画面３の調整工程を図８に示す。
【００４２】
第２のセンサ１７及び第３のセンサ１９の両方が携帯電話１に接続されている場合には、コントラスト及び／又は色の関連する所定のモードを選択する上では、第２のセンサ１７によって検出される利用可能な供給電圧の量が支配的な信号となる。コントラスト及び／又は色のある所定のモードでは他のモードよりも早く供給電圧を消費するので、制御手段７は、供給電圧残量の持続時間を最適化と表示画面３の視認性の最適化との間の妥協点である、コントラスト及び／又は色の関連した所定のモードを選択する。
【００４３】
第１のセンサ１５、第２のセンサ１７及び第３のセンサ１９を用いた場合における表示画面３の調整工程を図９に示す。
【００４４】
第１のセンサ１５、第２のセンサ１７及び第３のセンサ１９の両方が携帯電話１に接続されている場合には、コントラスト及び／又は色の関連する所定のモードを選択する上では、第２のセンサ１７によって検出される利用可能な供給電圧の量が支配的な信号となる。
【００４５】
第１のセンサ１５によって検出される端末装置が、例えばハンズフリーキットであれば、制御手段７が受信装置９から受信する支配的な信号は供給電圧の利用可能量である。コントラスト及び／又は色のある所定のモードでは他のモードよりも早く供給電圧を消費するので、制御手段７は、先ず供給電圧残量の持続時間を最適化でき、次に表示画面３の視認性を最適化できるような、コントラスト及び／又は色の関連した所定のモードを選択し、使用する。供給電圧の残量を考慮した使用時間の最適化とユーザの視認性の最適化との妥協が図られている。
【００４６】
第１のセンサ１５によって検出される端末装置が、例えば外部電源装置であれば、利用可能な供給電圧は最大の供給電圧となる。この場合においても、制御手段７が受信装置９から受信する支配的な信号は供給電圧の利用可能量である。しかし、供給電圧の利用可能量は最大供給電圧であるので、コントラスト及び／又は色のある関連する所定のモードにおいて供給電圧が消費される速度を考慮する必要は無く、上記の二つの要因の妥協を図る必要も無い。従って、制御手段７は、ユーザの視認性を最適化できるコントラスト及び／又は色の関連した所定のモードを選択する。
【００４７】
第１のセンサ１５、第２のセンサ１７、及び第３のセンサ１９を組み合わせて用いることにより、携帯電話１と端末装置とが接続され、且つ周囲光及び供給電圧の量が既知である場合に、コントラスト及び／又は色の最適なモードを得ることができる。携帯電話１に三つのセンサ１５、１７、及び１９を全て用いることが、上記の実施形態中で最も効果的である。
【００４８】
メモリー１１に格納するコントラスト及び／又は色の所定のモードをユーザが独自に設定してもよい。入力装置２１及び記録手段１３を用いることにより、表示画面３で表示可能な色の中から、メモリー１１に格納されている色の範囲とは異なる色を選択することが可能となる。ユーザは、どの色を前面の表示に用い、どの色を背景表示に用いるかを選択することができ、コントラスト及び／又は色のモードを独自化することができる。
【００４９】
視認性の高い色使いや非常にはっきりとした色は眩しすぎる場合があり、このためにユーザが疲れてしまうこともある。従って、個々のユーザがコントラスト及び／又は色の異なるモードに異なった反応を示すことから、コントラスト及び／又は色のモードを独自化できることによって、ユーザにより大きな満足を与えることができる。これらのコントラスト及び／又は色の「新しい」モードはコントラスト及び／又は色の従前より存在するモードに加えてメモリー１１に格納される。
【００５０】
受信装置９が第１及び／又は第２及び／又は第３の信号を受信した場合にコントラスト及び／又は色の独自化されたモードと所定のモードの何れが選択されるのかをユーザが選択できる。
【００５１】
本発明の半導体チップ５は２色より多い色を同時に表示可能な表示画面３と共に使用することも可能である。このような環境では、ユーザは単に前面の色及び背景色というのではなく色の配列を指示することにより、コントラスト及び／又は色の独自化されたモードのそれぞれにつき２色より多い色を定義することが可能となる。
【００５２】
ユーザは入力手段２１を用いてマニュアル操作で第１及び／又は第２及び／又は第３の信号を入力し、コントラスト及び／又は色の現在のモードをコントラスト及び／又は色の関連した所定のモードに変更すべきことを示すことができる。ユーザはまたコントラスト及び／又は色の独自に設定したモードとコントラスト及び／又は色の所定のモードの何れを現在のモードとするかをマニュアル操作で選択することができる。
【００５３】
コントラスト及び／又は色の所定のモードは、半導体チップ５の製造工程において、又は携帯電話１の電源を最初に投入する際にプログラムすることができる。
【００５４】
本発明の半導体チップ５は、ソフトウエアに必要な軽微な変更を行うだけで既存の携帯電話にも比較的容易に組み込むことができる。半導体チップ５は大規模な新規のハードウエアも必要としないので、組み込むための費用を低く抑えることが可能である。
【００５５】
以上の説明は単なる一例として行ったものであり、当該技術の分野における通常の知識を有する者であれば、本発明の技術範囲を逸脱しない範囲での変形が可能であることが理解できるであろう。
【産業上の利用可能性】
【００５６】
上述の実施形態は携帯電話１と関係付けて説明したが、この半導体チップ５は表示画面３を有する他の携帯型の機器、例えば電子ノートやデジタルカメラ等にも用いることができる。
【図面の簡単な説明】
【００５７】
【図１】一般的な携帯電話の斜視図である。
【図２】本発明に係る半導体チップを有する携帯電話のブロック図である。
【図３】本発明に係る半導体チップと第１のセンサとを有する携帯電話の表示画面の視認性を最適化する処理のフローチャートである。
【図４】本発明に係る半導体チップと第２のセンサとを有する携帯電話の表示画面の視認性を最適化する処理のフローチャートである。
【図５】本発明に係る半導体チップ、第１のセンサ、及び第２のセンサを有する携帯電話の表示画面の視認性を最適化する処理のフローチャートである。
【図６】本発明に係る半導体チップと第３のセンサとを有する携帯電話の表示画面の視認性を最適化する処理のフローチャートである。
【図７】本発明に係る半導体チップ、第１のセンサ、及び第３のセンサを有する携帯電話の表示画面の視認性を最適化する処理のフローチャートである。
【図８】本発明に係る半導体チップ、第２のセンサ、及び第３のセンサを有する携帯電話の表示画面の視認性を最適化する処理のフローチャートである。
【図９】本発明に係る半導体チップ、第１のセンサ、第２のセンサ、及び第３のセンサを有する携帯電話の表示画面の視認性を最適化する処理のフローチャートである。
【符号の説明】
【００５８】
１    携帯電話
３    表示画面
５    半導体チップ
７    制御手段
９    受信装置
１１  メモリー
１３  記録装置
１５  第１のセンサ
１７  第２のセンサ
１９  第３のセンサ
２１  入力手段
【図１】
2005526471.tif 000003
【図２】
2005526471.tif 000004
【図３】
2005526471.tif 000005
【図４】
2005526471.tif 000006
【図５】
2005526471.tif 000007
【図６】
2005526471.tif 000008
【図７】
2005526471.tif 000009
【図８】
2005526471.tif 000010
【図９】
2005526471.tif 000011
【国際調査報告】
2005526471.tif 000012
2005526471.tif 000013
2005526471.tif 000014
2005526471.tif 000015
2005526471.tif 000016